(57)【要約】【課題】インターフェース回路において、電子デバイスを接続して動作可能か否か並びに給電可能か否かを、ユーザが接続前に容易に判断できるようにする。【解決手段】インターフェース回路１は、制御部１ａと、電子デバイスに接続するためのコネクタ１ｂと、表示部１ｃと、を備える。制御部１ａは、インターフェース回路１で対応可能な動作モードと対応可能な給電モードとを、コネクタ１ｂに電子デバイスが接続されていない状態で表示部１ｃに表示させる。【選択図】図１
2020119076.tif 000002
【特許請求の範囲】
【請求項１】
電子デバイスに接続するためのコネクタと、
表示部と、
制御部と、
を備え、
前記制御部は、対応可能な動作モードと対応可能な給電モードとを、前記コネクタに前記電子デバイスが接続されていない状態で前記表示部に表示させる、
インターフェース回路。
【請求項２】
前記制御部は、前記コネクタにケーブルを介して前記電子デバイスを接続した状態で、ネゴシエーションした後、確立された動作モードと給電モードとを前記表示部に表示させる、
請求項１に記載のインターフェース回路。
【請求項３】
前記インターフェース回路は、ＵＳＢ（Universal Serial Bus）  Ｔｙｐｅ−Ｃのインターフェース回路である、
請求項１又は２に記載のインターフェース回路。
【請求項４】
電子デバイスに接続するためのコネクタを有するインターフェース回路と、
表示部と、
制御部と、
を備え、
前記制御部は、
前記インターフェース回路で対応可能な動作モードと対応可能な給電モードとを、前記コネクタに前記電子デバイスが接続されていない状態で前記表示部に表示させる、
情報処理装置。
【請求項５】
前記制御部は、前記コネクタにケーブルを介して前記電子デバイスを接続した状態で、ネゴシエーションした後、確立された動作モードと給電モードとを、前記表示部に表示させる、
請求項４に記載の情報処理装置。
【請求項６】
前記制御部は、前記コネクタにケーブルを介して前記電子デバイスを接続した状態で、ネゴシエーションした後、非対応の電力プロファイル情報を受信した場合に、前記電力プロファイル情報を、前記表示部に表示させる、
請求項４又は５に記載の情報処理装置。
【請求項７】
前記インターフェース回路は、ＵＳＢ（Universal Serial Bus）  Ｔｙｐｅ−Ｃのインターフェース回路である、
請求項４から６のいずれか１項に記載の情報処理装置。
【請求項８】
前記インターフェース回路は、ＵＳＢ（Universal Serial Bus）  Ｔｙｐｅ−Ｃのインターフェース回路であり、
前記ケーブルはＥ−Ｍａｋｅｒを内蔵し、
前記制御部は、前記Ｅ−ＭａｋｅｒとのＣＣ（Configuration Channel）通信で取得した情報を、前記表示部に表示させる、
請求項５又は６に記載の情報処理装置。
【請求項９】
電子デバイスに接続するためのコネクタに電子デバイスが接続されていない状態であることを検出する検出ステップと、
前記検出ステップで前記コネクタに前記電子デバイスが接続されていない状態であることが検出された場合、前記コネクタを有するインターフェース回路で対応可能な動作モードと対応可能な給電モードとを、表示部に表示させる表示ステップと、
を備える表示方法。
【請求項１０】
電子デバイスに接続するためのコネクタを有するインターフェース回路に内蔵又は接続された制御コンピュータに、
前記コネクタに前記電子デバイスが接続されていない状態であることを検出する検出ステップと、
前記検出ステップで前記コネクタに前記電子デバイスが接続されていない状態であることが検出された場合、前記インターフェース回路で対応可能な動作モードと対応可能な給電モードとを表示させる表示ステップと、
を実行させるためのプログラム。
【発明の詳細な説明】
【技術分野】
【０００１】
本開示は、インターフェース回路、情報処理装置、表示方法、及びプログラムに関する。
【背景技術】
【０００２】
情報処理装置に他の情報処理装置や他種の電子デバイスを接続するために、ＵＳＢ（Universal Serial Bus）  Ｔｙｐｅ−Ｃ等の様々な規格のインターフェース回路が利用されている。ＵＳＢ  Ｔｙｐｅ−Ｃのインターフェース回路は、小型で信号だけでなく電源供給も可能なインターフェース回路である。
【０００３】
特許文献１には、通信インターフェースの作動状態を表示できる電気コネクタ組立体が記載されている。特許文献１に記載の電気コネクタ組立体は、異なる通信規格にそれぞれ従った少なくとも２つの通信インターフェースを有する電気コネクタと、その電気コネクタの少なくとも一側に実装された信号インジケータと、を有する。この信号インジケータは、電子デバイスからの信号に従って異なる色を発光する発光体により、２つの通信インターフェースの作動状態をそれぞれ示すようになっている。
【先行技術文献】
【特許文献】
【０００４】
【特許文献１】実用新案登録第３１７２０５１号公報
【発明の概要】
【発明が解決しようとする課題】
【０００５】
ＵＳＢ  Ｔｙｐｅ−Ｃインターフェース回路は、様々な電子デバイスを接続可能であるが、実際の設計でどこまでの機能、電力供給に対応させるかについては、Ｔｙｐｅ−Ｃインターフェース回路又はそれを備える情報処理装置の製造業者に依存している。そのため、相互互換性に課題があり、コネクタ及びケーブル形状が同一規格となっており物理的接続が可能であっても動作しないという事例が多く、ユーザは、電子デバイスを接続して動作可能か否か、並びに給電可能か否かを容易に判断することはできなかった。このような課題は、同様のタイプのインターフェース回路についても生じ得る。また、特許文献１に記載の技術は、電子デバイスを接続した後の作動状態を表示させるだけであるため、同様の課題が生じる。
【０００６】
本開示の目的は、上述した課題を解決するインターフェース回路、情報処理装置、表示方法、及びプログラムを提供することにある。上記課題は、インターフェース回路において、電子デバイスを接続して動作可能か否か並びに給電可能か否かを、ユーザが接続前に容易に判断できるようにする、というものである。
【課題を解決するための手段】
【０００７】
本開示の第１の態様に係るインターフェース回路は、電子デバイスに接続するためのコネクタと、表示部と、制御部と、を備え、前記制御部は、対応可能な動作モードと対応可能な給電モードとを、前記コネクタに前記電子デバイスが接続されていない状態で前記表示部に表示させる、ものである。
【０００８】
本開示の第２の態様に係る情報処理装置は、電子デバイスに接続するためのコネクタを有するインターフェース回路と、表示部と、制御部と、を備え、前記制御部は、前記インターフェース回路で対応可能な動作モードと対応可能な給電モードとを、前記コネクタに前記電子デバイスが接続されていない状態で前記表示部に表示させる、ものである。
【０００９】
本開示の第３の態様に係る表示方法は、電子デバイスに接続するためのコネクタに電子デバイスが接続されていない状態であることを検出する検出ステップと、前記検出ステップで前記コネクタに前記電子デバイスが接続されていない状態であることが検出された場合、前記コネクタを有するインターフェース回路で対応可能な動作モードと対応可能な給電モードとを、表示部に表示させる表示ステップと、を備えるものである。
【００１０】
本開示の第４の態様に係るプログラムは、電子デバイスに接続するためのコネクタを有するインターフェース回路に内蔵又は接続された制御コンピュータに、前記コネクタに前記電子デバイスが接続されていない状態であることを検出する検出ステップと、前記検出ステップで前記コネクタに前記電子デバイスが接続されていない状態であることが検出された場合、前記インターフェース回路で対応可能な動作モードと対応可能な給電モードとを表示させる表示ステップと、を実行させるためのプログラムである。
【発明の効果】
【００１１】
本開示により、上記課題を解決するインターフェース回路、情報処理装置、表示方法、及びプログラムを提供することができる。即ち、本開示によれば、インターフェース回路において、電子デバイスを接続して動作可能か否か並びに給電可能か否かを、ユーザが接続前に容易に判断できるようになる。
【図面の簡単な説明】
【００１２】
【図１】実施形態１に係るインターフェース回路の一構成例を示すブロック図である。
【図２】実施形態１に係る情報処理装置の一構成例を示す図である。
【図３】比較例に係るインターフェース回路の構成を示す図である。
【図４】実施形態２に係るインターフェース回路の一構成例を示す図である。
【図５】図４のインターフェース回路における処理の一例を説明するためのフロー図である。
【図６】図４のインターフェース回路における表示例を示す図である。
【図７】図４のインターフェース回路における他の表示例を示す図である。
【図８】実施形態２に係るインターフェース回路の他の構成例を示す図である。
【図９】実施形態３に係る情報処理装置の一構成例を示す図である。
【図１０】図９の情報処理装置における処理の一例を説明するためのフロー図である。
【図１１】実施形態４に係る情報処理装置の一構成例を示す図である。
【図１２】図１１の情報処理装置における処理の一例を説明するためのフロー図である。
【図１３】インターフェース回路又は情報処理装置のハードウェア構成の一例を示す図である。
【発明を実施するための形態】
【００１３】
以下、図面を参照して、実施形態について説明する。なお、実施形態において、同一又は同等の要素には、同一の符号を付し、重複する説明は省略される。また、以下に説明する図面には一方向性の矢印を描いている図面があるが、この矢印はある信号（データ）の流れの方向を端的に示したもので、双方向性を排除するものではない。
【００１４】
＜実施形態１＞
実施形態１について、図１〜図４を参照しながら説明する。
まず、実施形態１に係るインターフェース回路の構成例について、図１を参照しながら説明する。図１は、実施形態１に係るインターフェース回路の一構成例を示すブロック図である。
【００１５】
図１に示すように、本実施形態に係るインターフェース回路１は、制御部１ａ、電子デバイスに接続するためのコネクタ１ｂ、及び表示部１ｃを有する。インターフェース回路１は、どのような規格のインターフェース回路であってもよく、その規格に合うコネクタ１ｂが設けられていればよい。
【００１６】
そして、制御部１ａは、対応可能な動作モードと対応可能な給電モード（給電仕様）とを、コネクタ１ｂに電子デバイスが接続されていない状態で表示部１ｃに表示させる。換言すれば、制御部１ａは、対応可能な動作モードと対応可能な給電モードとを、コネクタ１ｂへの電子デバイスの接続前に表示部１ｃに表示させる。制御部１ａは、コネクタ１ｂに電子デバイスが接続されていない状態であるか否かを判定し、その判定結果に基づき、上述のような表示制御を行えばよい。
【００１７】
ここで、制御部１ａは、ケーブルのみコネクタ１ｂに接続され、そのケーブルの先に電子デバイスが接続されていない状態においても、同様に表示制御を行う。
【００１８】
なお、制御部１ａは、例えば、集積回路（ＩＣ：Integrated Circuit）によって実現することができる。また、制御部１ａは、例えば、ＣＰＵ（Central Processing Unit）、作業用メモリ、及びインターフェース回路１の全体を制御するためのプログラムを記憶した不揮発性の記憶装置などによって実現することもできる。
【００１９】
上述したインターフェース回路１は、情報処理装置にそのまま組み込むこと、或いは、表示制御を情報処理装置の本体側で行うように構成することができる。前者の構成については単に組み込むだけであるため、その説明を省略する。後者の構成について、実施形態１に係る情報処理装置として、図２を参照しながら説明する。図２は、実施形態１に係る情報処理装置の一構成例を示す図である。
【００２０】
図２に示すように、本実施形態に係る情報処理装置２は、制御部２ａ、インターフェース回路２ｂ、及び表示部２ｃを有する。インターフェース回路２ｂは、電子デバイスに接続するためのコネクタ２ｂａを有し、どのような規格のインターフェース回路であってもよく、その規格に合うコネクタ２ｂａが設けられていればよい。また、情報処理装置２としては、ＰＣ（Personal Computer）、携帯電話機（スマートフォンと称されるものも含む）など、様々な装置が適用できる。
【００２１】
制御部２ａは、インターフェース回路２ｂで対応可能な動作モードと対応可能な給電モードとを、コネクタ２ｂａに電子デバイスが接続されていない状態で表示部２ｃに表示させる。制御部２ａは、コネクタ２ｂａに電子デバイスが接続されていない状態であるか否かを判定し、その判定結果に基づき、上述のような表示制御を行えばよい。
【００２２】
以上、本実施形態に係るインターフェース回路１又は情報処理装置２によれば、インターフェース回路１又は２ｂにおいて、電子デバイスを接続して動作可能か否か並びに給電可能か否かを、ユーザが接続前に容易に判断できるようになる。
【００２３】
＜実施形態２＞
実施形態２について、図３〜図８を併せて参照しながら、実施形態１との相違点を中心に説明するが、実施形態１で説明した様々な例が適用できる。本実施形態に係るインターフェース回路の説明に先立ち、図３を参照しながら比較例に係るインターフェース回路について説明する。図３は、比較例に係るインターフェース回路の構成を示す図である。
【００２４】
図３に示すインターフェース回路５０は、標準的なＴｙｐｅ−Ｃインターフェース回路であり、制御部５１、ＶＢＵＳ制御回路５２、ＶＣＯＮＮ制御回路５３、Ｔｙｐｅ−Ｃコントローラ５４、マルチプレクサ（ＭＵＸ）５５、及びコネクタ５６を備える。なお、これらの構成要素は、一部又は全てが１つの半導体素子に統合されて利用される場合もある。コネクタ５６は、Ｔｙｐｅ−Ｃケーブルが接続可能となっている。
【００２５】
制御部５１は、ＣＰＵ、ＩＯ（Ｉｎｐｕｔ  Ｏｕｔｐｕｔ）制御部等を有し、インターフェース回路５０の全体を制御する。また、コネクタ５６は、Ｔｙｐｅ−Ｃコネクタであり、次のような信号を渡すために複数の信号線を有する。即ち、コネクタ５６は、コンフィグレーション通信用のＣＣ（Configuration Channel）信号、ＵＳＢ２．０信号、その他の高速信号、給電に用いるＶＢＵＳ、及びＶＣＯＮＮの各信号の信号線を有することができる。上記その他の高速信号としては、ＵＳＢ３．０、ＵＳＢ３．１、ＰＣＩ（Peripheral Component Interconnect）  Ｅｘｐｒｅｓｓ等のＩ／Ｏ信号などが挙げられる。また、ＶＣＯＮＮは、給電電力を安全に中継できるか否かの判断に利用するＥ−Ｍａｒｋｅｒへの供給電源である。Ｅ−Ｍａｒｋｅｒは、コネクタ５６に接続されるＴｙｐｅ−Ｃケーブルに内蔵されるＩＣチップである。
【００２６】
ＩＯ制御部は、ＣＰＵの動作を補う機能を持ち、チップセットで構成することができる。このチップセットは、前述した高速信号であるＵＳＢ２．０、ＵＳＢ３．０、ＵＳＢ３．１、及びＰＣＩ  Ｅｘｐｒｅｓｓ等のＩ／Ｏ信号の各インターフェースのホストコントローラを内蔵することができる。さらに、このチップセットは表示用のインターフェース信号であるＤｉｓｐｌａｙ  Ｐｏｒｔ、ＨＤＭＩ（登録商標；High-Definition Multimedia Interface）等の各インターフェースのホストコントローラを内蔵することができる。なお、これらのホストコントローラは、チップセット以外の半導体素子で構成される場合もある。
【００２７】
Ｔｙｐｅ−Ｃコントローラ５４は、Ｔｙｐｅ−Ｃに関する全てのハードウェアの制御を行う。具体的には、Ｔｙｐｅ−Ｃコントローラ５４は、ＣＣ（Configuration Channel）信号を用いて相手先の電子デバイスとネゴシエーションを行い、電子デバイスから要求された電力値を取得する。そして、Ｔｙｐｅ−Ｃコントローラ５４は、それに対応する電力プロファイルにてＶＢＵＳ給電制御を実施する。また、Ｔｙｐｅ−Ｃコントローラ５４は、前述した高速信号に関する通信の確立、Ｔｙｐｅ−Ｃケーブルをフリップ（反転）させた場合の信号制御を行う。
【００２８】
ＭＵＸ５５は、前述したＴｙｐｅ−Ｃコントローラ５４からフリップ動作が発生したことを受信し、Ｔｙｐｅ−Ｃコネクタ５６とチップセット間の高速信号を入れ替える機能を持つ。ＶＢＵＳ制御回路５２は、ＴＹＰＥ−Ｃコントローラ５４からの給電制御に応じて、電力プロファイルに応じた電力制御を行う。ＶＣＯＮＮ制御回路５３は、Ｔｙｐｅ−Ｃケーブルに内蔵されたＥ−Ｍａｒｋｅｒに対して電源供給を行う。
【００２９】
Ｔｙｐｅ−Ｃインターフェース回路５０は、主に情報処理装置における通信インターフェース規格の一つであり、複数種類の信号及び電源供給を一本のケーブルにて中継させることが可能となっている。タッチパネル付の映像デバイスを接続する際、Ｔｙｐｅ−Ｃを用いた場合、タッチパネル制御用のＵＳＢケーブル、映像デバイスのためのディスプレイケーブル、これらに電源供給を行うための電源ケーブル等、複数のケーブルを全て一本に集約可能である。また、給電仕様（Ｔｙｐｅ−Ｃ  Ｐｏｗｅｒ  Ｄｅｌｉｖｅｒｙ仕様）が明確に定義されていることも特徴の１つとして挙げられる。これにより受給電を安全に実行できることに加え、受給電の方向も動的に変更できるため、Ｔｙｐｅ−Ｃのインターフェース回路は機器に対する電源供給手段としても広く普及しつつある。
【００３０】
次に、本実施形態に係るインターフェース回路について図４を併せて参照しながら説明する。図４は、実施形態２に係るインターフェース回路の一構成例を示す図である。
【００３１】
図４に示すように、本実施形態に係るインターフェース回路１０は、ＵＳＢ  Ｔｙｐｅ−Ｃのインターフェース回路であり、制御部１１、ＶＢＵＳ制御回路１２、ＶＣＯＮＮ制御回路１３、Ｔｙｐｅ−Ｃコントローラ１４、ＭＵＸ１５、及びコネクタ１６を備える。これらの構成要素は、基本構成としての図３の標準的なＴｙｐｅ−Ｃインターフェース回路５０における同名の構成要素に対応している。なお、これらの構成要素は、一部又は全てが１つの半導体素子に統合されて利用される場合もある。また、上述のように、制御部１１は、ＣＰＵ、ＩＯ制御部等を有し、インターフェース回路１０の全体を制御する。ＩＯ制御部についても上述した通りチップセットで構成することができる。また、コネクタ１６は、Ｔｙｐｅ−Ｃケーブルが接続可能となっている。
【００３２】
さらに、本実施形態に係るインターフェース回路１０は、表示部１ｃに相当する、表示部制御回路（表示制御回路）１７及び表示部１８を備える。表示部１８は、ＬＥＤ（Light Emitting Diode）、７セグメントＬＥＤ、ＬＣＤ（Liquid Crystal Display）などで構成することができる。表示制御回路１７は、表示部１８を制御するための回路である。
【００３３】
そして、インターフェース回路１０におけるＴｙｐｅ−Ｃコントローラ１４は、実施形態１における制御部１ａに相当する機能を有する点でＴｙｐｅ−Ｃコントローラ５４と異なる。具体的には、Ｔｙｐｅ−Ｃコントローラ１４は、インターフェース回路１０で対応可能な動作モードと対応可能な給電モードとを、コネクタ１６に電子デバイスが接続されていない状態で表示部１８に表示させるように表示制御回路１７を制御する。そして、表示部１８には、電子デバイスが接続される前に、インターフェース回路１０が対応しているＴｙｐｅ−Ｃの動作モードと給電モードとが表示される。ここで、電子デバイス（以下、単にデバイスと称する）は、外部装置に該当するものであってもインターフェース回路１０に付属する付属装置に該当するものであってもよい。
【００３４】
また、表示制御回路１７にＴｙｐｅ−Ｃの動作モードを予め記憶しておくこともでき、そのように予め記憶されている場合、表示制御回路１７はＴｙｐｅ−Ｃコントローラ１４と接続しなくともよい。なお、Ｔｙｐｅ−Ｃコントローラ１４から直接表示部１８を制御できる構成である場合は、表示制御回路１７は設けなくともよい。
【００３５】
本実施形態におけるＴｙｐｅ−Ｃコントローラ１４は、コネクタ１６にケーブルを介してデバイスを接続した状態でネゴシエーションした後、確立された動作モードと確立された給電モード（つまり給電状態）とを、表示制御回路１７を介し表示部１８に表示させる。この例では、表示部１８には、確立された動作モードとして、確立されたＴｙｐｅ−Ｃの動作モードが表示され、給電状態として、ＰＤ（Power Delivery）により設定されたＶＢＵＳの状態が表示されることになる。
【００３６】
ここで、Ｔｙｐｅ−Ｃコントローラ１４は、ネゴシエーション後に表示を切り替える制御を行うことができる。或いは、Ｔｙｐｅ−Ｃコントローラ１４は、接続前の表示内容と併せて、確立された動作モード及び給電モードを表示させるように制御を行うことができる。
【００３７】
次に、インターフェース回路１０の動作（処理の流れ）について、説明する。
表示制御回路１７は、Ｔｙｐｅ−Ｃコントローラ１４と接続され、表示部１８を制御する。Ｔｙｐｅ−Ｃコントローラ１４は、デバイスが接続される前に、対応（サポート）している動作モード及び給電モード（給電仕様）について、表示制御回路１７にデータを送信する。そして、表示制御回路１７は、これらについて表示部１８に表示させる。
【００３８】
また、Ｔｙｐｅ−Ｃコントローラ１４は、デバイス接続後、ＣＣ通信によって確立された動作モードと、ＰＤにより設定されたＶＢＵＳの状態とを、同様にして表示制御回路１７を介して表示部１８に表示させる。
【００３９】
ここで、動作モードについては、以下の点について表示することができる。
ＵＳＢ信号とは別の高速信号での通信を行うＡｌｔｅｒｎａｔｅ  ｍｏｄｅに対応しているか否かと、対応している場合、その高速信号とは何であるかを示す情報を表示する。高速信号とは、ＵＳＢ３．０，ＵＳＢ３．１，ＰＣＩ  Ｅｘｐｒｅｓｓ，Ｄｉｓｐｌａｙ  Ｐｏｒｔ，ＨＤＭＩ（登録商標）等であり、Ｈｉｇｈ  Ｓｐｅｅｄ  Ｓｉｇｎａｌのデータラインを使用して通信を行う。
【００４０】
給電仕様については、下記の（１）〜（３）のいずれであるかを表示することができる。また、給電方向についても表示することができる。即ち、ホスト側から給電するモードに対応しているか、デバイス側から給電するモードに対応しているか、ホスト側から給電するモードとデバイス側から給電するモードの両方に対応しているか（両方のモードに対応可であるか）、についても表示することができる。
【００４１】
（１）ＵＳＢ  Ｔｙｐｅ−Ｃ  Ｃｕｒｒｅｎｔ  ＠  １．５Ａ（Ｎｏｍｉｎａｌ  Ｖｏｌｔａｇｅ：５Ｖ，Ｍａｘｉｍｕｍ  Ｃｕｒｒｅｎｔ：１．５Ａ）
（２）ＵＳＢ  Ｔｙｐｅ−Ｃ  Ｃｕｒｒｅｎｔ  ＠  ３．０Ａ（Ｎｏｍｉｎａｌ  Ｖｏｌｔａｇｅ：５Ｖ，Ｍａｘｉｍｕｍ  Ｃｕｒｒｅｎｔ：３．０Ａ）
（３）ＵＳＢ  ＰＤ（Ｎｏｍｉｎａｌ  Ｖｏｌｔａｇｅ：２０Ｖまで設定可，Ｍａｘｉｍｕｍ  Ｃｕｒｒｅｎｔ：５Ａまで設定可）
【００４２】
また、ＶＢＵＳの状態については、ネゴシエーション後、ＶＢＵＳに出力されている電圧と電流の最大値を表示することができる。
【００４３】
また、Ｔｙｐｅ−Ｃコントローラ１４は、デバイス側がＣＣ通信によってサポートしていない電力プロファイル情報を送信してきた場合も、その内容を同様に、表示制御回路１７を介して表示部１８に表示させてもよい。つまり、Ｔｙｐｅ−Ｃコントローラ１４は、コネクタ１６にケーブルを介してデバイスを接続した状態で、ネゴシエーションした後、非対応の電力プロファイル情報を受信した場合に、その電力プロファイル情報を、表示部１８に表示させてもよい。
【００４４】
また、Ｅ−Ｍａｒｋｅｒが内蔵されたケーブルを使用する場合には、ＣＣ通信はケーブル内に組み込まれたチップに対しても行われる。この場合、Ｔｙｐｅ−Ｃコントローラ１４は、この内容（ＣＣ通信で取得した情報）についても、同様にして表示部１８に表示させてもよい。この内容とは、ケーブルの電力プロファイル情報（最大電圧と最大電流）である。
【００４５】
次に、図５を併せて参照しながら、Ｔｙｐｅ−Ｃのインターフェース回路１０とデバイス間で通信が確立されるまでのシーケンスの例について説明する。図５は、図４のインターフェース回路１０における処理（通信確立処理）の一例を説明するためのフロー図である。
【００４６】
まず、インターフェース回路１０に、Ｅ−Ｍａｒｋｅｒが内蔵されたＴｙｐｅ−Ｃケーブルを介してデバイスを接続する。この接続がなされたとき、インターフェース回路１０のＴｙｐｅ−Ｃコントローラ１４は、Ｔｙｐｅ−ＣケーブルのＥ−Ｍａｒｋｅｒにケーブル特性（ＰＤ対応の有無）を確認する（ステップＳ１）。Ｔｙｐｅ−Ｃコントローラ１４は、この応答を得る（ステップＳ２）。Ｔｙｐｅ−Ｃコントローラ１４は、デバイスのＴｙｐｅ−Ｃコントローラに動作モードを確認し（ステップＳ３）、この応答を得る（ステップＳ４）ことで、通信を確立する。このようにして、インターフェース回路１０とデバイス間での通信が確立される。
【００４７】
次に、図６及び図７を併せて参照しながら、表示例について説明する。
図６は、インターフェース回路１０における表示例を示す図である。図６に示す表示画像１８ａは、デバイスが接続される前に表示部１８に表示される画像の一例である。表示画像１８ａでは、Ａｌｔｅｒｎａｔｅ  ｍｏｄｅでＤｉｓｐｌａｙ  Ｐｏｒｔ信号に対応しており、給電仕様はＵＳＢ  ＰＤであり、給電方向はホスト（ＨＯＳＴ）からデバイス（Ｄｅｖｉｃｅ）への向きであることを示している。
【００４８】
図６に示す表示画像１８ｂは、その後、デバイスが接続され、ネゴシエーションが完了した後に表示部１８に表示される画像の一例である。表示画像１８ｂでは、Ａｌｔｅｒｎａｔｅ  ｍｏｄｅでＤｉｓｐｌａｙ  Ｐｏｒｔ通信が確立されており、ＵＳＢ  ＰＤで５Ｖ（最大３Ａ）が供給されていることを示している。
【００４９】
ここで、表示画像１８ａの表示がなされた後に消され、表示画像１８ｂが表示されるようにしてもよいし、表示画像１８ａの表示に加えて、表示画像１８ｂの表示が表示されるようにしてもよい。
【００５０】
図７は、図４のインターフェース回路における他の表示例を示す図である。図７に示す表示画像１８ｃは、デバイスが接続される前に表示部１８に表示される画像の他の一例である。表示画像１８ｃでは、Ａｌｔｅｒｎａｔｅ  ｍｏｄｅでＤｉｓｐｌａｙ  Ｐｏｒｔ信号に対応しており、給電仕様はＵＳＢ  ＰＤ（５，９，１５，２０Ｖに対応）であり、給電方向はＨＯＳＴからＤｅｖｉｃｅへの向きであることを示している。
【００５１】
図７に示す表示画像１８ｄは、その後、デバイスが接続され、ネゴシエーションが完了した後に表示部１８に表示される画像の他の一例である。表示画像１８ｄでは、Ａｌｔｅｒｎａｔｅ  ｍｏｄｅでＤｉｓｐｌａｙ  Ｐｏｒｔ通信が確立されており、Ｅ−Ｍａｒｋｅｒケーブルを介して、ＵＳＢ  ＰＤで５Ｖが供給されていることを示している。図７の例では、デバイスが接続される前に、表示画像１８ｃの表示が行われ、デバイスが接続され、ネゴシエーションが完了した後に、表示画像１８ｄの表示がなされる。
【００５２】
上述の説明では、表示部１８への表示については、Ｔｙｐｅ−Ｃコントローラ１４がＣＣ通信の結果から判定し表示制御回路１７にデータを送信して表示している。但し、ＣＣ通信をＴｙｐｅ−Ｃコントローラ１４とは別の回路で捕捉し、Ｔｙｐｅ−Ｃコントローラ１４とは別の回路が、表示制御回路１７へデータを送信して表示することもできる。もしくは、表示制御回路１７を設けず、Ｔｙｐｅ−Ｃコントローラ１４とは別の回路が、表示部１８を制御して表示することもできる。
【００５３】
次に、図８を参照しながら、本実施形態に係るインターフェース回路の他の構成例について説明する。図８は、上記他の構成例を示す図である。図８に示すインターフェース回路２０は、図４に示すインターフェース回路１０において、デコード回路１９を備えたものである。
【００５４】
デコード回路１９は、ＣＣ通信をデコードし、表示制御回路１７にデータを送信して、確立された動作モードとＰＤにより設定されたＶＢＵＳの状態とを表示部１８に表示させる。なお、この場合は、表示制御回路１７には、インターフェース回路２０が対応しているＴｙｐｅ−Ｃの動作モードと給電仕様が予め記憶されており、デバイスが接続される前に、サポートしているＴｙｐｅ−Ｃの動作モードと給電仕様を表示部１８に表示させる。
【００５５】
以上の例では、制御部１１は、インターフェース回路１０又は２０の専用の制御部であることを前提としたが、Ｔｙｐｅ−Ｃインターフェース回路を備える情報処理装置の制御部であってもよい。制御部１１がインターフェース回路１０又は２０の専用の制御部であった場合において、インターフェース回路１０又は２０を情報処理装置に組み込む場合には、制御部１１はその情報処理装置の制御部と接続される。
【００５６】
また、表示部１８は、インターフェース回路１０又は２０の専用の表示部であることを前提とした。しかし、表示部１８は、同様の（但し表示部がない）インターフェース回路を備える情報処理装置の表示部、又はそのような表示部の一部であってもよい。
【００５７】
次に、本実施形態による効果について説明する。
比較例に係るＴｙｐｅ−Ｃインターフェース回路５０は、様々なデバイスを接続することが可能であるが、その一方で、規格上は最低限接続すべき信号と、最低限供給すべき電力が規定されているのみである。つまり、インターフェース回路５０では、それ以外の仕様について何をどの様に拡張するかは制御部及び周辺機器の製造業者に委ねられている。例えばＴｙｐｅ−Ｃコネクタ５６には、ＵＳＢ２．０を配線する専用端子と、ＵＳＢ３．１やＤｉｓｐｌａｙ  Ｐｏｒｔ等の高速信号を配線する端子が存在するが、必ずしも両方を配線する必要は無く、規格でも義務付けられていない。また、ＰＤ仕様においては数種類の電力プロファイルが仕様上は定義されているものの、実際に全ての電力プロファイルに対応することは義務付けられてはいない。前述の通り、これらの仕様は全てシステムの製造業者が自由に決定しているのが現状である。
【００５８】
一方で、コネクタ及びケーブル形状は全て同一仕様で規格化されているため制御部と周辺機器で電気的な仕様が異なっても物理的には接続可能となっており、市場におけるユーザが、双方のＴｙｐｅ−Ｃ機器を相互に接続し利用可能かを外部から判断する手段がない。よって、インターフェース回路５０では、結果的に相互の機器間での仕様相違が発生し機器が正常動作しないという不具合に繋がる場合があり、市場での混乱を来たす原因となる。
【００５９】
これに対し、上述した本実施形態では、Ｔｙｐｅ−Ｃコントローラ１４が表示制御回路１７を駆動して、サポートしている動作モード、現在の給電状態を表示するように制御する。なお、ここで、給電状態以外の動作状態等を表示するようにしてもよい。そして、本実施形態では、表示制御回路１７は動作モード、給電状態等を外部に見える形で表示部１８に表示する。
【００６０】
よって、本実施形態によれば、ユーザが視認できるように、インターフェース回路１０又は２０のハードウェアが対応している動作モードが可視化されるため、ユーザはホスト側とデバイス側の仕様の一致が接続前に容易に判断できる。特に、仮にケーブルに表示部を持ってきた場合、ホスト側でサポートしている動作モード等については接続先のデバイスを接続するまで判別することは困難である。これに対し、本実施形態ではホスト側（制御部側）でサポートしている動作モード等を判別（識別）することが可能であるため、デバイス接続前にサポートされているか否かを判別し、その情報をそのまま通知することができる。さらに、本実施形態では、現時点での給電電力、方向、通信状態、ケーブル異常の有無等も可視化させることで、ユーザはこれらについても容易に確認することができる。
【００６１】
以上説明したように、本実施形態によれば、以下に記載するような効果を奏する。
第一の効果は、Ｔｙｐｅ−Ｃインターフェース回路が対応しているＴｙｐｅ−Ｃの動作モードを接続前に可視化することにより、ホスト側及びデバイス側の双方の仕様が合致しているか否かをユーザは容易に判断することができる。
第二の効果は、現在動作中の動作モードを可視化することにより、ユーザが現在の給電電力、給電方向、通信状態などを容易に視認することができる。
【００６２】
＜実施形態３＞
実施形態３について、図９及び図１０を併せて参照しながら、実施形態２との相違点を中心に説明するが、実施形態１，２で説明した様々な例が適用できる。図９は、実施形態３に係る、インターフェース回路を含む情報処理装置の一構成例を示す図である。
【００６３】
図９に示すように、本実施形態に係る情報処理装置３０は、図４に示すインターフェース回路１０において、表示制御回路１７の代わりに出力電源監視回路３７を備え、制御部１１、表示部１８を情報処理装置３０の構成要素としたものである。出力電源監視回路３７は、ＶＢＵＳ制御回路１２とＶＣＯＮＮ制御回路１３に接続されている。また、出力電源監視回路３７は、制御部１１に接続され、制御部１１により制御されることができる。上述したように、図９における制御部１１は、Ｔｙｐｅ−Ｃインターフェース回路を備える情報処理装置の制御部であり、表示部１８は、Ｔｙｐｅ−Ｃインターフェース回路を備える情報処理装置の表示部又はその表示部の一部である。
【００６４】
本実施形態では、出力電源監視回路３７を介してデバイスが接続された後、実際に出力されているＶＢＵＳの状態を出力電源監視回路３７が取得し、出力電源監視回路３７がその結果を表示部１８に表示させる。これにより、ユーザは、現在のＶＢＵＳの状態を視認することができ、電源供給の異常等を知ることができる。
【００６５】
次に、図１０を併せて参照しながら、Ｔｙｐｅ−Ｃのインターフェース回路に接続されたＴｙｐｅ−Ｃケーブルを介して情報処理装置３０とデバイスとの間で通信が確立されるまでのシーケンスの例について説明する。図１０は、図９の情報処理装置３０における処理（通信確立処理）の一例を説明するためのフロー図である。
【００６６】
まず、コネクタ１６にＴｙｐｅ−Ｃケーブルを介してデバイスを接続する。この接続がなされたとき、図５のステップＳ３，Ｓ４と同様にＴｙｐｅ−Ｃコントローラ１４は、デバイスのＴｙｐｅ−Ｃコントローラに動作モードを確認し（ステップＳ１１）、この応答を得る（ステップＳ１２）。Ｔｙｐｅ−Ｃコントローラ１４は、この応答に基づきＶＢＵＳ制御回路１２にＶＢＵＳ設定を行う（ステップＳ１３）。次いで、ＶＢＵＳ制御回路１２がデバイス側のＴｙｐｅ−ＣコントローラにＶＢＵＳを出力することで電源を供給し（ステップＳ１４）、デバイス側のＴｙｐｅ−Ｃコントローラがデバイスの制御部に電源を供給する（ステップＳ１５）。
【００６７】
また、出力電源監視回路３７は、ＶＢＵＳが設定された後、表示部１８に現在のＶＢＵＳの状態を表示させる（ステップＳ１６）とともに、制御部１１に現在のＶＢＵＳの状態を通知する（ステップＳ１７）。ステップＳ１６，Ｓ１７の順序は問わない。そして、情報処理装置３０の制御部１１とデバイスの制御部との間で通信が確立される（ステップＳ１８）。表示部１８には、デバイスが接続されてネゴシエーションが行われた後、確立された動作モードと設定されたＶＢＵＳの状態とが表示されていることになる。
【００６８】
なお、情報処理装置３０の記憶部（図示せず）には、Ｔｙｐｅ−Ｃインターフェース回路が対応しているＴｙｐｅ−Ｃの動作モードと給電仕様が予め記憶されている。そして、情報処理装置３０の制御部１１は、デバイスが接続される前に、サポートしているＴｙｐｅ−Ｃの動作モードと給電仕様を、出力電源監視回路３７を介して表示部１８に表示させる。
【００６９】
このように、本実施形態では、実施形態２による効果と同様の効果を、実施形態２とは異なる構成で得ることができる。
【００７０】
＜実施形態４＞
実施形態４について、図１１及び図１２を併せて参照しながら、実施形態２との相違点を中心に説明するが、実施形態１〜３で説明した様々な例が適用できる。図１１は、実施形態４に係る、インターフェース回路を含む情報処理装置の一構成例を示す図である。
【００７１】
図１１に示すように、本実施形態に係る情報処理装置４０は、図４に示すインターフェース回路１０において、表示制御回路１７をＴｙｐｅ−Ｃコントローラ１４に直接接続せずに制御部１１を介して接続している。さらに、情報処理装置４０は、制御部１１、表示部１８を情報処理装置４０の構成要素としている。つまり、図１１における制御部１１は、Ｔｙｐｅ−Ｃインターフェース回路を備える情報処理装置４０の制御部であり、表示部１８は、Ｔｙｐｅ−Ｃインターフェース回路を備える情報処理装置４０の表示部又はその表示部の一部である。
【００７２】
本実施形態においては、デバイスが接続される前に、サポートしている動作モードと給電仕様が、Ｔｙｐｅ−Ｃコントローラ１４から制御部１１へ通知される。制御部１１は、表示制御回路１７を介して、サポートしている動作モードと給電仕様を表示部１８に表示させる。
【００７３】
デバイス接続後は、Ｔｙｐｅ−Ｃコントローラ１４から、Ｔｙｐｅ−ＣのＣＣ通信によって得られた情報が制御部１１へ通知される。制御部１１は、表示制御回路１７を介して、ＣＣ通信によって確立された動作モードと、ＰＤにより設定されたＶＢＵＳの状態とを表示部１８に表示させる。
【００７４】
次に、図１２を併せて参照しながら、Ｔｙｐｅ−Ｃのインターフェース回路に接続されたＴｙｐｅ−Ｃケーブルを介して情報処理装置４０とデバイスとの間で通信が確立されるまでのシーケンスの例について説明する。図１２は、図１１の情報処理装置４０における処理（通信確立処理）の一例を説明するためのフロー図である。
【００７５】
まず、コネクタ１６にＴｙｐｅ−Ｃケーブルを介してデバイスを接続する。この接続がなされたとき、図５のステップＳ３，Ｓ４と同様にＴｙｐｅ−Ｃコントローラ１４は、デバイスのＴｙｐｅ−Ｃコントローラに動作モードを確認し（ステップＳ２１）、この応答を得る（ステップＳ２２）。Ｔｙｐｅ−Ｃコントローラ１４は、この応答に基づきＶＢＵＳ制御回路１２にＶＢＵＳ設定を行う（ステップＳ２３）。次いで、ＶＢＵＳ制御回路１２がデバイス側のＴｙｐｅ−ＣコントローラにＶＢＵＳを出力することで電源を供給し（ステップＳ２４）、デバイス側のＴｙｐｅ−Ｃコントローラがデバイスの制御部に電源を供給する（ステップＳ２５）。なお、ここまでの流れは、図１０のステップＳ１１〜Ｓ１５と同様である。
【００７６】
また、Ｔｙｐｅ−Ｃコントローラ１４は、ＶＢＵＳが設定されて給電した後、制御部１１に現在のＶＢＵＳの状態を通知する（ステップＳ２６）。そして、情報処理装置４０の制御部１１とデバイスの制御部との間で通信が確立される（ステップＳ２７）。その後、制御部１１は、現在のＶＢＵＳの状態と動作モードを表示制御回路１７に通知し（ステップＳ２８）、表示制御回路１７が表示部１８にこの通知の内容を表示部１８に表示させる（ステップＳ２９）。また、本実施形態でも、Ｔｙｐｅ−Ｃコントローラ１４は、ネゴシエーションした後に、非対応の電力プロファイル情報を受信した場合に、その電力プロファイル情報を、表示部１８に表示させてもよい。
【００７７】
なお、情報処理装置４０の記憶部（図示せず）には、Ｔｙｐｅ−Ｃインターフェース回路が対応しているＴｙｐｅ−Ｃの動作モードと給電仕様が予め記憶されている。そして、情報処理装置４０の制御部１１は、デバイスが接続される前に、サポートしているＴｙｐｅ−Ｃの動作モードと給電仕様を、表示制御回路１７を介して表示部１８に表示させる。
【００７８】
このように、本実施形態では、実施形態２による効果と同様の効果を、実施形態２とは異なる構成で得ることができる。
【００７９】
＜他の実施形態＞
［ａ］
実施形態１では、インターフェース回路１や情報処理装置２の各部の機能について説明したが、それぞれインターフェース回路１として、情報処理装置２としてこれらの機能が実現できればよい。また、実施形態２〜４において説明した各構成要素は、一例に過ぎず、他の通信規格についても同様の考え方で説明することができる。また、実施形態１〜４において、インターフェース回路には、複数のコネクタ（同種であっても異種であってもよい）を備えることができ、その場合、コネクタ毎に表示部における表示制御を行うように構成しておけばよい。
【００８０】
［ｂ］
実施形態１〜４に係るインターフェース回路又は情報処理装置は、次のようなハードウェア構成を有していてもよい。図１３は、実施形態１〜４に係るインターフェース回路又は情報処理装置のハードウェア構成の一例を示す図である。なお、上記他の実施形態［ａ］についても同様である。
【００８１】
図１３に示す装置１００（インターフェース回路又は情報処理装置）は、プロセッサ１０１、メモリ１０２、コネクタ１０３、及び表示用インターフェース１０４を有する。表示用インターフェース１０４は、表示部に接続される。実施形態１で説明した制御部１ａ，２ａ等、その他の部位の機能は、プロセッサ１０１がメモリ１０２に記憶されたプログラムを読み込んでコネクタ１０３及び表示用インターフェース１０４と協働しながら実行することにより実現される。
【００８２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８３】
［ｃ］
さらに、上述した様々な実施形態において、インターフェース回路又は情報処理装置における表示方法の手順を例示したように、本開示は、表示方法（インターフェース回路の状態表示方法）としての形態も採り得る。この表示方法は、次の検出ステップ及び表示ステップを備える。検出ステップは、電子デバイスに接続するためのコネクタに電子デバイスが接続されていない状態であることを検出する。表示ステップは、検出ステップでコネクタに電子デバイスが接続されていない状態であることが検出された場合、そのコネクタを有するインターフェース回路で対応可能な動作モードと対応可能な給電モードとを、表示部に表示させる。なお、その他の例については、上述した様々な実施形態で説明した通りである。また、上記プログラムは、電子デバイスに接続するためのコネクタを有するインターフェース回路に内蔵又は接続された制御コンピュータに、上記検出ステップと上記表示ステップとを実行させるプログラムであると言える。ここで、インターフェース回路に内蔵された制御コンピュータは、表示部が内蔵又は接続されている。インターフェース回路に接続された制御コンピュータは、汎用ＰＣなどのコンピュータであり、表示部が内蔵又は接続されている。
【００８４】
なお、本開示は上記実施形態に限られたものではなく、趣旨を逸脱しない範囲で適宜変更することが可能である。また、本開示は、それぞれの実施形態を適宜組み合わせて実施されてもよい。
【００８５】
上記の実施形態の一部又は全部は、以下の付記のようにも記載されうるが、以下には限られない。
＜付記＞
【００８６】
（付記１）
電子デバイスに接続するためのコネクタと、
表示部と、
制御部と、
を備え、
前記制御部は、対応可能な動作モードと対応可能な給電モードとを、前記コネクタに前記電子デバイスが接続されていない状態で前記表示部に表示させる、
インターフェース回路。
【００８７】
（付記２）
前記制御部は、前記コネクタにケーブルを介して前記電子デバイスを接続した状態で、ネゴシエーションした後、確立された動作モードと給電モードとを前記表示部に表示させる、
付記１に記載のインターフェース回路。
【００８８】
（付記３）
前記制御部は、前記コネクタにケーブルを介して前記電子デバイスを接続した状態で、ネゴシエーションした後、非対応の電力プロファイル情報を受信した場合に、前記電力プロファイル情報を、前記表示部に表示させる、
付記１又は２に記載のインターフェース回路。
【００８９】
（付記４）
前記インターフェース回路は、ＵＳＢ（Universal Serial Bus）  Ｔｙｐｅ−Ｃのインターフェース回路である、
付記１から３のいずれか１項に記載のインターフェース回路。
【００９０】
（付記５）
前記インターフェース回路は、ＵＳＢ（Universal Serial Bus）  Ｔｙｐｅ−Ｃのインターフェース回路であり、
前記ケーブルはＥ−Ｍａｋｅｒを内蔵し、
前記制御部は、前記Ｅ−ＭａｋｅｒとのＣＣ（Configuration Channel）通信で取得した情報を、前記表示部に表示させる、
付記２又は３に記載のインターフェース回路。
【００９１】
（付記６）
電子デバイスに接続するためのコネクタを有するインターフェース回路と、
表示部と、
制御部と、
を備え、
前記制御部は、
前記インターフェース回路で対応可能な動作モードと対応可能な給電モードとを、前記コネクタに前記電子デバイスが接続されていない状態で前記表示部に表示させる、
情報処理装置。
【００９２】
（付記７）
前記制御部は、前記コネクタにケーブルを介して前記電子デバイスを接続した状態で、ネゴシエーションした後、確立された動作モードと給電モードとを、前記表示部に表示させる、
付記６に記載の情報処理装置。
【００９３】
（付記８）
前記制御部は、前記コネクタにケーブルを介して前記電子デバイスを接続した状態で、ネゴシエーションした後、非対応の電力プロファイル情報を受信した場合に、前記電力プロファイル情報を、前記表示部に表示させる、
付記６又は７に記載の情報処理装置。
【００９４】
（付記９）
前記インターフェース回路は、ＵＳＢ（Universal Serial Bus）  Ｔｙｐｅ−Ｃのインターフェース回路である、
付記６から８のいずれか１項に記載の情報処理装置。
【００９５】
（付記１０）
前記インターフェース回路は、ＵＳＢ（Universal Serial Bus）  Ｔｙｐｅ−Ｃのインターフェース回路であり、
前記ケーブルはＥ−Ｍａｋｅｒを内蔵し、
前記制御部は、前記Ｅ−ＭａｋｅｒとのＣＣ（Configuration Channel）通信で取得した情報を、前記表示部に表示させる、
付記７又は８に記載の情報処理装置。
【００９６】
（付記１１）
電子デバイスに接続するためのコネクタに電子デバイスが接続されていない状態であることを検出する検出ステップと、
前記検出ステップで前記コネクタに前記電子デバイスが接続されていない状態であることが検出された場合、前記コネクタを有するインターフェース回路で対応可能な動作モードと対応可能な給電モードとを、表示部に表示させる表示ステップと、
を備える表示方法。
【００９７】
（付記１２）
電子デバイスに接続するためのコネクタを有するインターフェース回路に内蔵又は接続された制御コンピュータに、
前記コネクタに前記電子デバイスが接続されていない状態であることを検出する検出ステップと、
前記検出ステップで前記コネクタに前記電子デバイスが接続されていない状態であることが検出された場合、前記インターフェース回路で対応可能な動作モードと対応可能な給電モードとを表示させる表示ステップと、
を実行させるためのプログラム。
【符号の説明】
【００９８】
１、２ｂ  インターフェース回路
１ａ、２ａ  制御部
１ｂ、２ｂａ、１６  コネクタ
１ｃ、２ｃ  表示部
２、３０、４０  情報処理装置
１０、２０  ＵＳＢ  Ｔｙｐｅ−Ｃインターフェース回路
１１  制御部
１２  ＶＢＵＳ制御回路
１３  ＶＣＯＮＮ制御回路
１４  Ｔｙｐｅ−Ｃコントローラ
１５  ＭＵＸ
１７  表示制御回路
１８  表示部
１８ａ、１８ｂ、１８ｃ、１８ｄ  表示画像
１９  デコード回路
３７  出力電源監視回路
１００  装置（インターフェース回路又は情報処理装置）
１０１  プロセッサ
１０２  メモリ
１０３  コネクタ
１０４  表示用インターフェース
【図１】
2020119076.tif 000003
【図２】
2020119076.tif 000004
【図３】
2020119076.tif 000005
【図４】
2020119076.tif 000006
【図５】
2020119076.tif 000007
【図６】
2020119076.tif 000008
【図７】
2020119076.tif 000009
【図８】
2020119076.tif 000010
【図９】
2020119076.tif 000011
【図１０】
2020119076.tif 000012
【図１１】
2020119076.tif 000013
【図１２】
2020119076.tif 000014
【図１３】
2020119076.tif 000015
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
電子デバイスに接続するためのコネクタと、
表示部と、
制御部と、
を備え、
前記制御部は、対応可能な動作モードと対応可能な給電モードとを、前記コネクタに前記電子デバイスが接続されていない状態で前記表示部に表示させる、
インターフェース回路。
【請求項２】
前記制御部は、前記コネクタにケーブルを介して前記電子デバイスを接続した状態で、ネゴシエーションした後、確立された動作モードと給電モードとを前記表示部に表示させる、
請求項１に記載のインターフェース回路。
【請求項３】
前記インターフェース回路は、ＵＳＢ（Universal Serial Bus）  Ｔｙｐｅ−Ｃのインターフェース回路である、
請求項１又は２に記載のインターフェース回路。
【請求項４】
電子デバイスに接続するためのコネクタを有するインターフェース回路と、
表示部と、
制御部と、
を備え、
前記制御部は、
前記インターフェース回路で対応可能な動作モードと対応可能な給電モードとを、前記コネクタに前記電子デバイスが接続されていない状態で前記表示部に表示させる、
情報処理装置。
【請求項５】
前記制御部は、前記コネクタにケーブルを介して前記電子デバイスを接続した状態で、ネゴシエーションした後、確立された動作モードと給電モードとを、前記表示部に表示させる、
請求項４に記載の情報処理装置。
【請求項６】
前記制御部は、前記コネクタにケーブルを介して前記電子デバイスを接続した状態で、ネゴシエーションした後、非対応の電力プロファイル情報を受信した場合に、前記電力プロファイル情報を、前記表示部に表示させる、
請求項４又は５に記載の情報処理装置。
【請求項７】
前記インターフェース回路は、ＵＳＢ（Universal Serial Bus）  Ｔｙｐｅ−Ｃのインターフェース回路である、
請求項４から６のいずれか１項に記載の情報処理装置。
【請求項８】
前記インターフェース回路は、ＵＳＢ（Universal Serial Bus）  Ｔｙｐｅ−Ｃのインターフェース回路であり、
前記ケーブルはＥ−Ｍａｋｅｒを内蔵し、
前記制御部は、前記Ｅ−ＭａｋｅｒとのＣＣ（Configuration Channel）通信で取得した情報を、前記表示部に表示させる、
請求項５又は６に記載の情報処理装置。
【請求項９】
電子デバイスに接続するためのコネクタを有するインターフェース回路又は前記インターフェース回路を備えた情報処理装置が、前記コネクタに電子デバイスが接続されていない状態であることを検出する検出ステップと、
前記インターフェース回路又は前記情報処理装置が、前記検出ステップで前記コネクタに前記電子デバイスが接続されていない状態であることが検出された場合に、前記インターフェース回路で対応可能な動作モードと対応可能な給電モードとを、表示部に表示させる表示ステップと、
を備える表示方法。
【請求項１０】
電子デバイスに接続するためのコネクタを有するインターフェース回路に内蔵又は接続された制御コンピュータに、
前記コネクタに前記電子デバイスが接続されていない状態であることを検出する検出ステップと、
前記検出ステップで前記コネクタに前記電子デバイスが接続されていない状態であることが検出された場合、前記インターフェース回路で対応可能な動作モードと対応可能な給電モードとを表示させる表示ステップと、
を実行させるためのプログラム。